(57)【要約】通信端末、コアネットワーク構成要素、モバイル無線通信コアネットワークへの接続方法及びモバイル無線通信コアネットワークへのアクセス制御方法に関する。一実施形態によれば、第１の接続要求を第１のモバイル無線通信コアネットワークに送信し、前記第１のモバイル無線通信コアネットワークから第２のモバイル無線通信コアネットワークへのリダイレクト指示を受信すると、前記第２のモバイル無線通信コアネットワークへの接続を試み、前記第２のモバイル無線通信コアネットワークへの接続を提供する無線アクセスネットワークへの接続に失敗した場合、前記通信端末がすでに前記第２のモバイル無線通信コアネットワークへリダイレクトしたことを示す第２の接続要求を、前記第１のモバイル無線通信コアネットワークに送信する、通信サブシステムを有する通信端末が提供される。【選択図】図５
2021502716.tif 000002
【特許請求の範囲】
【請求項１】
通信端末であって、
第１の接続要求を第１のモバイル無線通信コアネットワーク（１１０）に送信し、
前記第１のモバイル無線通信コアネットワーク（１１０）から第２のモバイル無線通信コアネットワーク（１０６）へのリダイレクト指示を受信すると、前記第２のモバイル無線通信コアネットワーク（１０６）への接続を試み、
前記第２のモバイル無線通信コアネットワーク（１０６）への接続を提供する無線アクセスネットワークへの接続に失敗した場合、前記通信端末がすでに前記第２のモバイル無線通信コアネットワーク（１０６）へリダイレクトしたことを示す第２の接続要求を、前記第１のモバイル無線通信コアネットワーク（１１０）に送信する、通信サブシステムを有する通信端末。
【請求項２】
前記第２のモバイル無線通信コアネットワーク（１０６）へ接続するよう試みることは、第２のモバイル無線通信コアネットワークへの接続を許可する無線アクセスを検索することを含み、前記通信サブシステムは、第２のモバイル無線通信コアネットワーク（１０６）への接続を許可する無線アクセス検索が失敗した場合に、前記第２の接続要求を送信する、請求項１に記載の通信端末。
【請求項３】
前記無線アクセス検索は、前記通信端末が前記第２のモバイル無線通信コアネットワーク（１０６）へアクセスすることを許可する無線セルの検索である、請求項１又は請求項２に記載の通信端末。
【請求項４】
前記第１のモバイル無線通信コアネットワーク（１１０）は、５Ｇコアネットワークであり、前記第２のモバイル無線通信コアネットワーク（１０６）は、４Ｇコアネットワークである、請求項１から請求項３のいずれかに記載の通信端末。
【請求項５】
前記接続要求は、アクセス及びモビリティ管理機能への登録要求である、請求項４に記載の通信端末。
【請求項６】
前記第１のモバイル無線通信コアネットワーク（１１０）は、４Ｇコアネットワークであり、前記第２のモバイル無線通信コアネットワーク（１０６）は、５Ｇコアネットワークである、請求項１から請求項３のいずれかに記載の通信端末。
【請求項７】
前記接続要求は、モビリティ管理エンティティへの接続要求又はトラッキングエリア更新要求である、請求項６に記載の通信端末。
【請求項８】
前記第２の接続要求は、前記通信端末が前記第２のモバイル無線通信コアネットワーク（１０６）にすでにリダイレクトされたことを示す指示を含む、請求項１から請求項７のいずれかに記載の通信端末。
【請求項９】
前記指示の状態を保存するメモリを有し、前記通信サブシステムは、前記第１のモバイル無線通信コアネットワーク（１１０）に送信される接続要求における前記保存された状態と共に前記指示を含む、請求項８に記載の通信端末。
【請求項１０】
前記第１のモバイル無線通信コアネットワーク（１１０）からの前記リダイレクト指示の受信時に、前記通信端末が前記第２のモバイル無線通信コアネットワーク（１０６）にすでにリダイレクトされたことを示す前記指示を設定する制御部を有する、請求項８又は請求項９に記載の通信端末。
【請求項１１】
タイマーを備え、前記制御部は、前記通信端末が前記第２のモバイル無線通信コアネットワーク（１０６）にすでにリダイレクトされたことを示す前記指示を設定すると、前記タイマーを開始し、前記タイマーの満了時に前記通信端末が前記第２のモバイル無線通信コアネットワーク（１０６）にすでにリダイレクトされたことを示さないように前記指示を設定するように構成される、請求項１から請求項１０のいずれかに記載の通信端末。
【請求項１２】
第１の接続要求を、通信端末から第１のモバイル無線通信コアネットワーク（１１０）に送信するステップと、
前記第１のモバイル無線通信コアネットワーク（１１０）から第２のモバイル無線通信コアネットワーク（１０６）へのリダイレクト指示を受信すると、前記第２のモバイル無線通信コアネットワーク（１０６）への接続を試みるステップと、
前記第２のモバイル無線通信コアネットワーク（１０６）への接続を提供する無線アクセスネットワークへの接続に失敗した場合、前記通信端末がすでに前記第２のモバイル無線通信コアネットワーク（１０６）へリダイレクトしたことを示す第２の接続要求を、前記第１のモバイル無線通信コアネットワーク（１１０）に送信するステップと、を有するモバイル無線通信コアネットワークに接続する方法。
【請求項１３】
第１のモバイル無線通信コアネットワーク（１１０）のネットワーク構成要素であって
通信端末から接続要求を受信する受信部と、
前記接続要求が、前記通信端末が第２のモバイル無線通信コアネットワーク（１０６）にすでにリダイレクトされたことを示すか否かを判定する判定部と、
前記接続要求が、前記通信端末がすでに前記第２のモバイル無線通信コアネットワーク（１０６）にリダイレクトされたことを示す場合、前記第１のモバイル無線通信コアネットワーク（１１０）から前記第２のモバイル無線通信コアネットワーク（１０６）への通信端末のリダイレクトを防止する制御部と、を有する前記第１のモバイル無線通信コアネットワーク（１１０）のネットワーク構成要素。
【請求項１４】
通信端末から接続要求を受信するステップと、
前記接続要求が、前記通信端末がすでに第２のモバイル無線通信コアネットワーク（１０６）にリダイレクトされたことを示すか否かを判定するステップと、
前記接続要求が、前記通信端末がすでに前記第２のモバイル無線通信コアネットワーク（１０６）にリダイレクトされたことを示す場合、第１のモバイル無線通信コアネットワーク（１１０）から前記第２のモバイル無線通信コアネットワーク（１０６）への通信端末のリダイレクトを防止するステップと、を有するモバイル無線通信コアネットワークへのアクセスを制御する方法。
【発明の詳細な説明】
【技術分野】
【０００１】
本開示は、通信端末、コアネットワーク構成要素、モバイル無線通信コアネットワークへ接続する方法、および、モバイル無線通信コアネットワークへのアクセスを制御する方法に関する。
【背景技術】
【０００２】
５ＧＣ（第５世代コア）やＥＰＣ（Evolved  Packet  Core）などの２つのモバイル無線通信コアネットワークが並行して展開され、その両方がモバイル端末からアクセスされうるシナリオにおいて、ある理由によって、モバイル端末が、他の通信コアネットワークではなく、２つの通信コアネットワークのいずれかによってサービスを受けることが望ましい場合がある。この理由の１つは、例えばコアネットワーク間の負荷分散である。これを実現するために、コアネットワークの１つが、モバイル端末を他のコアネットワークにリダイレクト（redirect）する場合がある。このようなシナリオにおいて、ピンポン効果を回避するためのアプローチが望まれる。
【発明の概要】
【０００３】
一実施形態によれば、第１の接続要求を第１のモバイル無線通信コアネットワークに送信し、前記第１のモバイル無線通信コアネットワークから第２のモバイル無線通信コアネットワークへのリダイレクト指示を受信すると、前記第２のモバイル無線通信コアネットワークへの接続を試み、前記第２のモバイル無線通信コアネットワークへの接続を提供する無線アクセスネットワークへの接続に失敗した場合、前記通信端末がすでに前記第２のモバイル無線通信コアネットワークへリダイレクトしたことを示す第２の接続要求を、前記第１のモバイル無線通信コアネットワークに送信する、通信サブシステムを有する通信端末が提供される。
【０００４】
さらなる実施形態によれば、コアネットワーク構成、モバイル無線通信コアネットワークへ接続する方法、および、通信端末によるモバイル無線通信コアネットワークへのアクセスを制御する方法が提供される。
【図面の簡単な説明】
【０００５】
図面において、一般に同様の符号は、異なる図面を通して同じ部分を指す。図面は必ずしも縮尺通りではなく、代わりに一般に本発明の原理を示すことに重点が置かれている。以下の説明では、以下の図面を参照して様々な態様を説明する。
【０００６】
【図１】ユーザ装置が２つのコアネットワークに接続することを可能にする通信システムを示す。
【図２】５ＧＣからＥＰＣへのリダイレクトの成功を示すフロー図を示す。
【図３】５ＧＣからＥＰＣへのリダイレクトの失敗を示すフロー図を示す。
【図４】５ＧＣからＥＰＣへのリダイレクトが失敗した場合のピンポン効果を回避するためのアプローチを示すフロー図を示す。
【図５】通信端末を示す。
【図６】モバイル無線通信コアネットワークに接続する方法を示すフロー図を示す。
【図７】ネットワーク構成を示す。
【図８】例えばモバイル無線通信コアネットワークによって実行される、モバイル無線通信コアネットワークへのアクセスを制御する方法を示す。
【発明を実施するための形態】
【０００７】
以下の詳細な説明は、本発明を実施することができる本開示の特定の詳細および態様を、例示として示す添付の図面を参照している。本発明の範囲から逸脱することなく、他の態様を利用してもよく、構造的、論理的及び電気的な変更を行ってもよい。本開示のいくつかの態様は、本開示の１つ又は複数の他の態様と組み合わせて新しい態様を形成することができるため、本開示の様々な態様は必ずしも相互排他的ではない。
【０００８】
５Ｇネットワークがより広く利用できるようになると、消費者のユーザ装置は４Ｇネットワーク、５Ｇネットワーク、または、その両方で動作するように構成されうる。ユーザ装置が４Ｇと５Ｇとの両方で動作できる場合、無線アクセスネットワークに接続されているユーザ装置は、４Ｇコア又は５Ｇコアのいずれかにリンクされてもよい。
【０００９】
図１は、ユーザ装置１０２（例えば、ユーザ機器（User  Equipment（ＵＥ））が２つのコアネットワークに接続することを可能にする通信システムを示している。
【００１０】
ユーザ装置１０２は、第１の無線アクセスネットワーク（Radio  Access  Network（ＲＡＮ））１０４及び第２の無線アクセスネットワーク１０５に接続される。当該ＲＡＮ１０４、１０５は、ＬＴＥ  ＲＡＮ及び５Ｇ  ＲＡＮを含むが、これらに限定されない任意のＲＡＮであってもよい。第１のＲＡＮ１０４は、第１のネットワーク１０６へのアクセス権を有し、第２のＲＡＮ１０５は、第２のネットワーク１１０へのアクセス権を有する。第１のネットワークは、４Ｇコアネットワーク、すなわちEvolved  Packet  Core（ＥＰＣ）１０６を含む４Ｇネットワークであってもよい。第２のネットワークは５Ｇコアネットワーク（５ＧＣ）１１０を含む。これは、本実施例における第１のＲＡＮ１０４がＬＴＥ  ＲＡＮとして機能し、第２のＲＡＮ１０５が５Ｇ  ＲＡＮとして機能することを意味する。ＲＡＮ１０４、１０５はまた、以下では共通のＲＡＮ（両方のネットワーク１０６、１１０へのアクセスを提供する）と見なされてもよい。
【００１１】
第１のコアネットワーク１０６は、とりわけ、ネットワーク内で様々なページングおよびシグナリング制御機能を実行し得るモビリティ管理エンティティ（Mobility  Management  Entity（ＭＭＥ））１０８を備えてもよい。第２のコアネットワーク１１０は、アクセス及びモビリティ管理機能（Access  and  Mobility  Management  Function（ＡＭＦ））ユニット１１２をさらに備えてもよく、これは、ＵＥベースの認証、認可、モビリティ管理などの様々なモビリティ管理機能を含んでもよい。「第１のコアネットワーク」及び「第２のコアネットワーク」は、明確さと参照の容易さのためにここで提供されるが、この順序に限定されない。
【００１２】
２つのコアネットワーク１０６、１１０が並行して展開されている図１に示されているようなシナリオでは、ユーザ装置１０２が、どちらかのコアネットワークではなく、２つのコアネットワーク１０６、１１０のいずれか一方に接続することが望ましい場合がある。この理由の１つは、例えば、コアネットワーク間の負荷分散である。例えば、４Ｇ及び５Ｇコアネットワークなどの複数のコアネットワークを提供する通信システムでは、ユーザの要求をより適切に分散するために、利用可能なリソース全体にわたって、周期的な負荷分散が必要になる場合がある。つまり、４Ｇコアネットワーク及び５Ｇコアネットワークの両方が利用可能な場合、不均衡な数のユーザ装置が、他のコアと比較して一方のコアに接続されることを回避する必要がある。これは、例えば、コアネットワークの一方又は両方のオペレータが、例えば負荷条件に基づいて、登録を一方のコアネットワーク１０６、１１０から他方にリダイレクトできるようにすることにより、コアネットワーク間の負荷分散が達成される。
【００１３】
図２は、５ＧＣからＥＰＣへの成功したリダイレクトを示すフロー図２００を示す。当該リダイレクトは、５Ｇ対応のユーザ装置２０２（例えば、ＵＥ１０２に対応）、ＲＡＮ２０４（例えば、ＲＡＮ１０４及び１０５の両方に対応）、ＡＭＦ２０６（例えば、ＡＭＦ１１２に対応）、および、ＭＭＥ２０８（例えば、ＭＭＥ１０８に対応）の通信を含む。図２の手順によれば、５Ｇ対応ユーザ装置２０２は、２１０においてＡＭＦ２０６に登録要求を送信する。
【００１４】
２１２において、ＡＭＦ２０６は、ユーザ装置をＥＰＣに再ルーティングすることを決定する。２１４において、ＡＭＦ２０６は、登録拒否とともにＥＰＣに登録する必要があるため、５Ｇ対応ユーザ装置２０２に登録拒否を送信する。２１６において、５Ｇ対応のユーザ装置２０２は、その後、接続要求をＭＭＥ２０８に送信する。
【００１５】
図２の例では、ＵＥ２０２がＥＰＣに接続するための適切なセルを見つけると想定されている。これは、ＵＥ２０２が、ＥＰＣ（特にＭＭＥ２０８）に接続することを許可する無線セル（ＲＡＮ２０４の基地局によって操作される）に位置することを意味する。ただし、必ずしもそうであるとは限らない。ＵＥ２０２が位置する無線セルは、例えば、５ＧＣアクセスのみを提供してもよい。ＵＥ２０２がＬＴＥ  ＲＡＮ１０４のカバレッジエリア内にない場合、例えば、５ＧＣに接続されている１つ又は複数の（許可された）Public  Land  Mobile  Networks（ＰＬＭＮ）のカバレッジエリア内のみ（例えば、５Ｇ  ＲＡＮ１０５のカバレッジエリア内のみ）であってもよい。
【００１６】
５ＧＣ（すなわち、ＡＭＦ２０６）が、ＵＥをＥＰＣにリダイレクトすることを決定した場合、５ＧＣは、ターゲットＣＮがＵＥで利用可能かどうかを認識しない。したがって、ＵＥ２０２がＥＰＣに接続できないため、リダイレクトが失敗することが起こり得る。これを図３に示す。
【００１７】
図３は、５ＧＣからＥＰＣへの失敗したリダイレクトを示すフロー図３００を示す。図２と同様に、図３のリダイレクトは、５Ｇ対応のユーザ装置３０２（例えば、ＵＥ１０２に対応する）、ＲＡＮ３０４（例えば、ＲＡＮ１０４、１０５の両方に対応する）、および、ＡＭＦ３０６（例えば、ＡＭＦ１１２に対応する）間の通信を含む。
【００１８】
３０８において、５Ｇ対応ユーザ装置３０２は登録要求をＡＭＦ３０６に送信する。３１０において、ＡＭＦ２０６は、ユーザ装置をＥＰＣに再ルーティングすることを決定する。３１２において、ＡＭＦ２０６は、登録拒否を５Ｇ対応ユーザ装置２０２に送信し、拒否原因はＥＰＣに登録する必要がある。
【００１９】
３１４において、ＵＥ３０２が、ターゲットコアネットワーク（ＥＰＣ）へのリダイレクト指示とともに登録拒否を受信すると、ＵＥは、Ｎ１モード（すなわち、５Ｇ無線アクセスネットワークを介した５Ｇコアネットワークへのアクセスを許可するモード）を無効にし、ＥＰＣに接続を試みる。
【００２０】
ただし、この例では、ＵＥは適切なセル（つまり、ＵＥが接続でき、ＥＰＣに接続される（ＥＰＣへのアクセスを提供する）無線セル）を見つけることができないと想定される。したがって、ＵＥ３０２は、Ｎ１モードを再度有効にし、３１６で５ＧＣに登録し直すよう試みる。ただし、５ＧＣがＵＥをＥＰＣに再度リダイレクトできるため、コアネットワーク１０６、１１０間のピンポン効果につながる可能性がある。
【００２１】
以下では、ネットワーク１０６、１１０間のピンポン効果を回避する方法について説明する。つまり、ＥＰＣアクセス、および、ＵＥを再度ＥＰＣにリダイレクトする５ＧＣに適したセルがない場合、ＥＰＣが、ＵＥを５ＧＣに直ちにリダイレクトすることを回避する必要がある。
【００２２】
上記及び以下の例では、５ＧＣからＥＰＣへの方向について説明されていることに留意すべきである。ただし、ＥＰＣから５ＧＣへの他の方向にも適用されてもよい。さらに、他の通信技術にも適用されてもよい。
【００２３】
図４は、５ＧＣからＥＰＣへのリダイレクトが失敗した場合の、ピンポン効果を回避するためのアプローチを示すフロー図４００を示す。
【００２４】
当該フローは、５Ｇ対応のユーザ装置４０２（例えば、ＵＥ１０２に対応する）、ＲＡＮ４０４（例えば、ＲＡＮ１０４、１０５の両方に対応する）、第１のＡＭＦ４０６及び第２のＡＭＦ４１０（例えば、ＡＭＦ１１２に対応し、ただし、この例には５ＧＣ１１０の２つのＡＭＦが含まれる）、および、ＭＭＥ４０８（たとえば、ＭＭＥ１０８に対応）の間の通信を含む。
【００２５】
４１２において、５Ｇ対応ユーザ装置４０２は、登録要求を第１のＡＭＦ４０６に送信する。４１４において、第１のＡＭＦ４０６は、ユーザ装置をＥＰＣに再ルーティングすることを決定する。
【００２６】
４１６において、第１のＡＭＦ４０６は、５Ｇ対応ユーザ装置４０２に登録拒否を送信し、拒否原因はＥＰＣに登録する必要がある（特に、ＥＰＣをリダイレクトのターゲットコアネットワークとして示す）。
【００２７】
４１８において、ＵＥ４０２がターゲットコアネットワーク（EPC）へのリダイレクト指示とともに登録拒否を受信すると、ＵＥはＮ１モードを無効にし、EPCへの接続を試みる。
【００２８】
ただし、この例では、ＵＥは適切なセル（つまり、ＵＥが接続でき、ＥＰＣに接続される、すなわち、ＥＰＣへのアクセスを提供する無線セル）を見つけることができないと想定される。したがって、ＵＥ４０２は、５ＧＣに再登録するためにＮ１モードを再度有効にする。
【００２９】
４２０において、ＵＥ４０２は、５ＧＣからＥＰＣに「ｔｒｕｅ」にリダイレクトされたことを示すフラグを設定（及び保存）する。
【００３０】
４２２において、ＵＥは再び登録要求を５ＧＣに送信し、これは、この例において第２のＡＭＦ４１０により受信されると想定される（しかし、第１のＡＭＦ４０６により受信されてもよい）。ＵＥは、４２２の登録要求にフラグ（「ｔｒｕｅ」に設定、すなわち、ＵＥ４０２が、４ＧＣからＥＰＣにリダイレクトされたことを示すために設定）を含める。
【００３１】
４２４において、第２のＡＭＦ４１０（または、４２２の登録要求が第１のＡＭＦ４０６によって受信された場合は、第１のＡＭＦ４０６）が４２２の登録要求のフラグのステータスをチェックし、ＵＥ４０２がすでにリダイレクトされたことを検出し、したがって、再びＥＰＣにリダイレクトされることはなく、別のリダイレクトの代わりに、ＵＥ４０２に登録受け入れを送信する。つまり、５ＧＣにおけるＵＥの登録を受け入れる。
【００３２】
４２６において、５ＧＣでの登録が成功した後、ＵＥ４０２は、フラグをクリアする（すなわち、それを「ｆａｌｓｅ」に設定する、すなわち、登録要求において、ＵＥ４０２が５ＧＣからＥＰＣにリダイレクトされたことをもはや示さない）。ＵＥは、カウンタ又はタイマーを開始し（例えば、フラグを「ｔｒｕｅ」に設定する場合）、例えば、カウンタ又はタイマーが期限切れになった（及び／又は５ＧＣに正常に登録された）後にのみフラグをクリアする。タイマー又はカウンタ値は、４２４において第２のＡＭＦ４１０によってＵＥ４０２に示されてもよい。
【００３３】
その後、４２８において、ＵＥ４０２は、ＥＰＣに登録してもよい（当該アイドルモードのキャンプポリシーのために）。このため、ＵＥ４０２は、ＭＭＥ４２６に接続要求を送信する。
【００３４】
接続要求には、「ｆａｌｓｅ」に設定されたフラグが含まれてもよい。この場合、ＭＭＥは、フラグが「ｆａｌｓｅ」に設定された接続要求を受信し、必要に応じて、ＵＥを５ＧＣにリダイレクトする。
【００３５】
要約すると、様々な実施形態によれば、図５に示すように通信端末が提供される。図５は、通信端末５００を示している。通信端末５００は、第１の接続要求５０２を第１のモバイル無線通信コアネットワークに送信するように構成された通信サブシステム５０１を備える。
【００３６】
通信サブシステム５０１は、第１のモバイル無線通信コアネットワークから第２のモバイル無線通信コアネットワークへのリダイレクト指示５０３を受信すると、第２のモバイル無線通信コアネットワークへの接続を試みるように、さらに構成される。
【００３７】
さらに、通信サブシステム５０１は、第２のモバイル無線通信コアネットワークへの接続が失敗すると、通信端末がすでに第２のモバイル無線通信コアネットワークにリダイレクトされたことを示すように、第２の接続要求５０４を第１のモバイル無線通信コアネットワークに送信するよう構成される。
【００３８】
様々な実施形態によれば、言い換えると、通信端末（例えば、ＵＥ）は、あるコアネットワークによって別のコアネットワークにすでにリダイレクトされたことを当該あるコアネットワークに示すが、例えば、通信端末は、別のコアネットワークに接続（又は、登録）できないことがある。理由としては、例えば、通信端末が別のコアネットワークへのアクセスを許可する無線セルを見つけられなかったことが考えられる。したがって、通信端末は、コアネットワークによって再びリダイレクトされるのを防いでもよい。
【００３９】
図５のアプローチは、ピンポン効果を回避しながら（例えば、通信端末が、第２のコアネットワークに接続することなく、第２のコアネットワークに繰り返しリダイレクトされるのを回避しながら）、コアネットワーク間の（図５の例では、第１のコアネットワークから第２のコアネットワークへ）リダイレクトを可能にする。特に、コアネットワークのオペレータは、コアネットワーク間で負荷分散を実行できる（ピンポン効果のリスクなし）。第２の接続要求は、通信端末が、（例えば、所定の期間内に）第２のモバイル無線通信コアネットワークにすでに（例えば、少なくとも１回）リダイレクトされたことを示す指示（例えば、フラグ）を含んでもよい。通信端末は、当該指示（例えば、フラグのステータス）を保存してもよく、当該指示は、例えば、リダイレクト命令の受信または送信が期限切れになった後、特定の期間後にクリアされてもよい。
【００４０】
第１のコアネットワーク及び第２のコアネットワークは、例えば、５ＧＣ及びＥＰＣ（４ＧＣ）などの様々なモバイル無線通信ネットワーク世代のような、異なる通信規格のものであってもよい。
【００４１】
通信端末５００は、例えば、図６に示されるような方法を実行する。図６は、例えば通信端末によって実行される、モバイル無線通信コアネットワークに接続する方法を示すフロー図６００を示している。
【００４２】
６０１において、通信端末は、第１の接続要求を第１のモバイル無線通信コアネットワークに送信する。
【００４３】
６０２において、第１のモバイル無線通信コアネットワークから第２のモバイル無線通信コアネットワークへのリダイレクト指示を受信すると、通信端末は、第２のモバイル無線通信コアネットワークへの接続を試みる。
【００４４】
６０３において、第２のモバイル無線通信コアネットワークへの接続が失敗すると、通信端末は、通信端末がすでに第２のモバイル無線通信コアネットワークにリダイレクトされたことを示す第２の接続要求を、第１のモバイル無線通信コアネットワークに送信する。
【００４５】
例えば、図７に示すように、通信端末は、接続要求をネットワーク構成要素に送信してもよい。図７は、ネットワーク構成要素７００を示す。ネットワーク構成要素７００は、第１のモバイル無線通信コアネットワークに属する。ネットワーク構成要素７００は、通信端末から接続要求を受信するように構成された受信部７０１を備える。
【００４６】
さらに、ネットワーク構成要素７００は、通信端末が第２のモバイル無線通信コアネットワークにすでにリダイレクトされたことを接続要求が示すかどうかを判定するように構成された判定部７０２を備える。
【００４７】
ネットワーク構成要素７００は、通信端末がすでに第２のモバイル無線通信コアネットワークにリダイレクトされたことを接続要求が示す場合、第１のモバイル無線通信コアネットワークから第２のモバイル無線通信コアネットワークへの通信端末のリダイレクトを防止する制御部７０３をさらに備える。
【００４８】
ネットワーク構成要素７００は、例えば、ＡＭＦ（５ＧＣの場合）又はＭＭＥ（ＥＰＣの場合）であってもよい。
【００４９】
図８は、例えばモバイル無線通信コアネットワークによって実行される、モバイル無線通信コアネットワークへのアクセスを制御する方法を示している。８０１において、モバイル無線通信コアネットワークは、通信端末から接続要求を受信する。
【００５０】
８０２において、モバイル無線通信コアネットワークは、通信端末がすでに第２のモバイル無線通信コアネットワークにリダイレクトされたことを接続要求が示すかどうかを判定する。
【００５１】
８０３において、モバイル無線通信コアネットワークは、通信端末がすでに第２のモバイル無線通信コアネットワークにリダイレクトされたことを接続要求が示す場合、第１のモバイル無線通信コアネットワークから第２のモバイル無線通信コアネットワークへの通信端末のリダイレクトを防止する。
【００５２】
以下に様々な実施例を示す。実施例１は、図５に示すような通信端末である。
【００５３】
実施例２は、実施例１の通信端末であり、第２のモバイル無線通信コアネットワークへの接続を試みることは、第２のモバイル無線通信コアネットワークへの接続を許可する無線アクセスの検索することを含み、通信サブシステムは、第２のモバイル無線通信コアネットワークへの接続を許可する無線アクセスの検索に失敗すると、第２の接続要求を送信するように構成される。
【００５４】
実施例３は、実施例１又は実施例２の通信端末であり、無線アクセスの検索は、第２のモバイル無線通信コアネットワークへの通信端末のアクセスを許可する無線セルの検索である。
【００５５】
実施例４は、実施例１−３のいずれかの通信端末であり、第１のモバイル無線通信コアネットワークは５Ｇコアネットワークであり、第２のモバイル無線通信コアネットワークは４Ｇコアネットワークである。
【００５６】
実施例５は、実施例４の通信端末であり、接続要求は、アクセス及びモビリティ管理機能への登録要求である。
【００５７】
実施例６は、実施例１〜３のいずれかの通信端末であり、第１のモバイル無線通信コアネットワークは４Ｇコアネットワークであり、第２のモバイル無線通信コアネットワークは５Ｇコアネットワークである。
【００５８】
実施例７は、実施例６の通信端末であり、接続要求は、モビリティ管理エンティティへの接続要求又はトラッキングエリア更新要求である。
【００５９】
実施例８は、実施例１−７のいずれか１つの通信端末であり、第２の接続要求は、通信端末がすでに第２のモバイル無線通信コアネットワークにリダイレクトされたことを示す指示を含む。
【００６０】
実施例９は、実施例８の通信端末であり、指示の状態を保存するメモリを備え、通信サブシステムは、第１のモバイル無線通信コアネットワークに送信される接続要求に保存状態の指示を含むように構成される。
【００６１】
実施例１０は、実施例８又は９の通信端末であり、第１のモバイル無線通信コアネットワークからのリダイレクト指示の受信時に、通信端末がすでに第２のモバイル無線通信コアネットワークにリダイレクトされたことを示す指示を設定するように構成された制御部を含む。
【００６２】
実施例１１は、タイマーを含む実施例１−１０のいずれか１つの通信端末であり、制御部は、通信端末がすでに第２のモバイル無線通信コアネットワークにリダイレクトされたことを示す指示を設定すると、タイマーを開始するように構成される。そして、タイマーの満了時に、通信端末が第２のモバイル無線通信コアネットワークにすでにリダイレクトされたことを示さないように指示を設定する。
【００６３】
実施例１２は、図６に示すモバイル無線通信コアネットワークに接続する方法である。
【００６４】
実施例１３は、実施例１２の方法であり、第２のモバイル無線通信コアネットワークへの接続の試みることは、第２のモバイル無線通信コアネットワークへの接続を許可する無線アクセスを検索することと、第２のモバイル無線通信コアネットワークへの接続を許可する無線アクセスの検索が失敗したときに第２の接続要求を送信することと、を含む。
【００６５】
実施例１４は、実施例１２又は１３の方法であり、無線アクセスの検索は、通信端末が第２のモバイル無線通信コアネットワークにアクセスできるようにする無線セルの検索である。
【００６６】
実施例１５は、実施例１２−１４のいずれか１つの方法であり、第１のモバイル無線通信コアネットワークは５Ｇコアネットワークであり、第２のモバイル無線通信コアネットワークは４Ｇコアネットワークである。
【００６７】
実施例１６は、実施例１５の方法であり、接続要求は、アクセス及びモビリティ管理機能への登録要求である。
【００６８】
実施例１７は、実施例１２−１４のいずれか１つの方法であり、第１のモバイル無線通信コアネットワークは４Ｇコアネットワークであり、第２のモバイル無線通信コアネットワークは５Ｇコアネットワークである。
【００６９】
実施例１８は、実施例１７の方法であり、接続要求は、モビリティ管理エンティティへの接続要求又はトラッキングエリア更新要求である。
【００７０】
実施例１９は、実施例１２−１８のいずれか１つの方法であり、第２の接続要求は、通信端末がすでに第２のモバイル無線通信コアネットワークにリダイレクトされたことを示す指示を含む。
【００７１】
実施例２０は、実施例１９の方法であり、指示の状態を保存すること、第１のモバイル無線通信コアネットワークに送信された接続要求の保存状態の指示を含むこと、とを含む。
【００７２】
実施例２１は、実施例１９又は２０の方法であり、第１のモバイル無線通信コアネットワークからリダイレクト指示を受信すると、通信端末がすでに第２のモバイル無線通信コアネットワークにリダイレクトされたことを示す指示を設定することを含む。
【００７３】
実施例２２は、実施例１２−２１のいずれか１つの方法であり、通信端末がすでに第２のモバイル無線通信コアネットワークにリダイレクトされたことを示す指示を設定すると、タイマーを開始すること、通信端末が、タイマーの満了時にすでに第２のモバイル無線通信コアネットワークにリダイレクトされたことを示さないように指示を設定すること、とを含む。
【００７４】
実施例２３は、図７に示すネットワーク構成要素である。
【００７５】
実施例２４は、実施例２３のネットワーク構成要素であり、第１のモバイル無線通信コアネットワークは５Ｇコアネットワークであり、第２のモバイル無線通信コアネットワークは４Ｇコアネットワークである。
【００７６】
実施例２５は、実施例２４のネットワーク構成要素であり、アクセス及びモビリティ管理機能である。
【００７７】
実施例２６は、実施例２３のネットワーク構成要素であり、第１のモバイル無線通信コアネットワークは４Ｇコアネットワークであり、第２のモバイル無線通信コアネットワークは５Ｇコアネットワークである。
【００７８】
実施例２７は、実施例２６のネットワーク構成要素であり、モビリティ管理エンティティである。
【００７９】
実施例２８は、図８に示すモバイル無線通信コアネットワークへのアクセスを制御する方法である。
【００８０】
実施例２９は実施例２８の方法であり、第１のモバイル無線通信コアネットワークは５Ｇコアネットワークであり、第２のモバイル無線通信コアネットワークは４Ｇコアネットワークである。
【００８１】
実施例３０は、実施例２９の方法であり、アクセス及びモビリティ管理機能によって実行される。
【００８２】
実施例３１は実施例２８の方法であり、第１のモバイル無線通信コアネットワークは４Ｇコアネットワークであり、第２のモバイル無線通信コアネットワークは５Ｇコアネットワークである。
【００８３】
実施例３２は、実施例３１の方法であり、モビリティ管理エンティティによって実行される。
【００８４】
さらなる実施例によれば、通信端末は、第１の（モバイル無線通信）コアネットワークから第２のコアネットワークへのリダイレクト時に、通信端末が第２のコアネットワークへの接続に失敗したかどうかを判定するように構成された判定部と、接続に失敗した場合に、通信端末が第２のコアネットワークへの接続に失敗したことを示す指示から構成される接続要求メッセージを生成するメッセージ生成回路と、接続要求を第１のコアネットワークに送信するように構成された送信部と、を有する。
【００８５】
さらなる実施例によれば、ソースコアネットワークからユーザ装置に、ターゲットコアネットワークに接続するための指示を送信することを含むコアネットワークへの接続を制御する方法が提供され、ユーザ装置はソースコアネットワークに接続する機能を無効にし、ユーザ装置は、ターゲットコアネットワークへの接続に失敗した場合、ソースコアネットワークとユーザ装置とへの接続機能を再度有効にし、ソースコアネットワークへの接続を要求し、当該要求において、ソースコアネットワークからのリダイレクト後にユーザ装置が接続していることを含む。
【００８６】
上記実施例の特徴の１つ又は複数を、他の実施例のいずれか１つと組み合わせてもよいことに留意されたい。
【００８７】
通信端末の構成要素及びネットワーク構成要素（例えば、通信サブシステム、受信部、判定部、及び制御部）は、例えば、１つ以上の回路により実装されてもよい。「回路」は、特定の目的の回路、または、メモリ、ファームウェア、或いはそれらの任意の組み合わせに格納されたソフトウェアを実行するプロセッサであってもよく、あらゆる種類の論理実装エンティティとして理解されてもよい。したがって、「回路」は、ハードワイヤード論理回路、または、プログラム可能なプロセッサ（例えばマイクロプロセッサ）などのプログラム可能な論理回路であってもよい。「回路」は、ソフトウェアを実行するプロセッサ（例えば、あらゆる種類のコンピュータープログラム）であってもよい。上記の各機能の他の種類の実装も、「回路」として理解されてもよい。
【００８８】
通信端末は、例えば、携帯電話などのモバイル端末であってもよく、送信装置（例えば、ベースバンドプロセッサ、１つ以上のフィルタ、送信チェーン、受信チェーン、増幅器などを含む）、アンテナ、加入者識別モジュール、アプリケーションプロセッサ、メモリ、ディスプレイ、バッテリ、スピーカ、マイク、などの典型的な通信端末装置を含んでもよい。
【００８９】
特定の態様について説明したが、添付の特許請求の範囲によって定義される本開示の態様の思想及び範囲から逸脱することなく、形態及び詳細における様々な変更を加えてもよいことを当業者は理解するべきである。したがって、範囲は添付の特許請求の範囲によって示され、特許請求の範囲の均等の意味及び範囲内におけるすべての変更は、包含されることを意図している。
【図１】
2021502716.tif 000003
【図２】
2021502716.tif 000004
【図３】
2021502716.tif 000005
【図４】
2021502716.tif 000006
【図５】
2021502716.tif 000007
【図６】
2021502716.tif 000008
【図７】
2021502716.tif 000009
【図８】
2021502716.tif 000010
【国際調査報告】
2021502716.tif 000011
2021502716.tif 000012
2021502716.tif 000013